(57)【要約】【課題】本発明は、処理内容を貸出し時の状態に容易に戻すことができる情報処理装置を提供することを課題としている。【解決手段】貸出し中に設定する貸出しモードと、返却中に設定する返却モードとを切り替える切り替え手段と、各モードにおける処理内容を記憶する装置状態記憶手段８１と、貸出しモードから返却モードへの切り替え時に、当該貸出しモードにおける処理内容を削除する貸出し削除処理を行うと共に、返却モードから貸出しモードへの切り替え時に、当該返却モードにおける処理内容を削除しない切替え制御手段と、を備えた。【選択図】図４
2008302602.tif 000002
【特許請求の範囲】
【請求項１】
貸出し中に設定する貸出しモードと、返却中に設定する返却モードとを切り替える切り替え手段と、
各モードにおける処理内容を記憶する処理内容記憶手段と、
前記貸出しモードから前記返却モードへの切り替え時に、当該貸出しモードにおける前記処理内容を削除する貸出し削除処理を行うと共に、前記返却モードから前記貸出しモードへの切り替え時に、当該返却モードにおける前記処理内容を削除しない切替え制御手段と、を備えたことを特徴とする情報処理装置。
【請求項２】
前記切替え制御手段により前記貸出し削除処理を行うか否か、を設定する処理内容削除設定手段を更に備えたことを特徴とする請求項１に記載の情報処理装置。
【請求項３】
前記処理内容は、複数の処理要素からなり、
前記処理内容削除設定手段は、前記複数の処理要素それぞれについて、前記貸出し削除処理を行うか否か、を設定することを特徴とする請求項２に記載の情報処理装置。
【請求項４】
請求項１ないし３のいずれかに記載の情報処理装置における各手段と、
前記情報処理装置により作成された印刷データを、印刷媒体に印刷する印刷手段と、を備えたことを特徴とする印刷装置。
【発明の詳細な説明】
【技術分野】
【０００１】
本発明は、取得情報に基づいて各種処理を行って目的を達成する情報処理装置および印刷装置に関するものである。
【背景技術】
【０００２】
従来、この種の情報処理装置を適用したテープ印刷装置として、作成された印刷データに基づいて、印刷テープに所望の文字等を印刷してラベルを作成するものが知られている（特許文献１参照）。
【特許文献１】特開２００４−２１６７３６号公報
【発明の開示】
【発明が解決しようとする課題】
【０００３】
ところで、テープ印刷装置は、１つのテープ印刷装置を複数のユーザにより使用される場合があり、例えば、１つのテープ印刷装置を複数のユーザに貸し出して使用される場合がある。しかしながら、上記のテープ印刷装置では、貸出しに対応することができないという問題があった。例えば、ユーザが入力した入力データ情報が、テープ印刷装置に残り、別のユーザに知られてしまうという問題や、１ユーザが、自己が所望する設定に設定変更してしまうと、別のユーザにその設定のまま貸し出されてしまうという問題があった。また、返却されたテープ印刷装置を、貸出し時の状態に戻すことができない、もしくは戻すことが煩雑であるという問題があった。
【０００４】
本発明は、処理内容を貸出し時の状態に容易に戻すことができる情報処理装置および印刷装置を提供することを課題としている。
【課題を解決するための手段】
【０００５】
本発明の情報処理装置は、貸出し中に設定する貸出しモードと、返却中に設定する返却モードとを切り替える切り替え手段と、各モードにおける処理内容を記憶する処理内容記憶手段と、貸出しモードから返却モードへの切り替え時に、当該貸出しモードにおける処理内容を削除する貸出し削除処理を行うと共に、返却モードから貸出しモードへの切り替え時に、当該返却モードにおける処理内容を削除しない切替え制御手段と、を備えたことを特徴とする。
【０００６】
この構成よれば、情報処理装置の返却時に、貸出し中の（貸出しモードにおける）処理内容を削除することにより、情報処理装置の状態を、貸出し時点の状態に容易に戻すことができる。そのため、常に同一の環境状態で貸出を行うことができ、個人情報等の管理や個人別の操作性が損なわれることがない。なお、処理内容は、１以上の処理要素を有し、その処理要素としては、入力、作成された各種データ（テキストデータやファイルデータ）の記憶処理や貸出し中に施した各種設定変更処理を含むものである。
【０００７】
この場合、切替え制御手段により貸出し削除処理を行うか否か、を設定する処理内容削除設定手段を更に備えることが好ましい。
【０００８】
この構成によれば、貸出し削除処理を行うか否かを設定可能である。すなわち、貸出し時点の状態に戻すか否かを設定可能であるため、処理内容が個人間の引き継ぎ事項等である場合、これを残しておくことができ、取扱いの自由度を高めることができる。
【０００９】
この場合、処理内容は、複数の処理要素からなり、処理内容削除設定手段は、複数の処理要素それぞれについて、貸出し削除処理を行うか否か、を設定することが好ましい。
【００１０】
この構成によれば、複数の処理要素それぞれについて、貸出し削除処理を行うか否かを設定可能である。すなわち、貸出し時点の状態に戻すか否かを設定可能であるため、取扱いの自由度を更に高めることができる。
【００１１】
本発明の印刷装置は、上記の情報処理装置における各手段と、情報処理装置により作成された印刷データを、印刷媒体に印刷する印刷手段と、を備えたことを特徴とする。
【００１２】
この構成によれば、貸出しに好適な共有の印刷装置を提供することができる。
【発明を実施するための最良の形態】
【００１３】
以下、添付の図面を参照して、本発明の実施形態に係る情報処理装置を適用したテープ印刷装置（印刷装置）について説明する。このテープ印刷装置は、貸出しを前提とするものであり、貸出し処理機能および返却処理機能を備えたものである。
【００１４】
図１および図２に示すように、テープ印刷装置１は、処理テープ（印刷媒体）Ｔに対して印刷処理を行う装置本体１１と、処理テープＴおよびインクリボンＲを収容し、装置本体１１に着脱自在に装着されるテープカートリッジＣとを備えている。
【００１５】
装置本体１１は、装置ケース１２により外殻が形成され、装置ケース１２の前半部上面には、文字等を入力するための複数の文字入力キー１３と、各種選択および確定処理等を行うための複数の機能キー１５と、を備えたキーボード１７が配設されている。この機能キー１５には、処理テープＴのテープ幅、テープ長および余白領域並びに文字等の書式等を設定する各種設定キー１５ａ、後述するディスプレイ２４に表示される選択肢を選択する上下（左右）キー１５ｂ、上記選択肢から所望の選択肢（文字列）を印刷画像として確定する確定キー１５ｃ、入力編集中の文字等を削除する削除キー１５ｄ、印刷処理を実行するための印刷キー１５ｅ、テープ印刷装置１を貸出しモードに移行する貸出しキー１５ｆ、テープ印刷装置１を返却モードに移行する返却キー１５ｇ等が含まれる。なお、請求項にいう切り替え手段は、貸出しキー１５ｆおよび返却キー１５ｇにより構成されている。
【００１６】
装置ケース１２の後半部左上面には、開閉蓋２１が広く設けられ、開閉蓋２１の上面には、テープカートリッジＣの装着／非装着を視認するための覗き窓２２が形成されていると共に、開閉蓋２１の前側にはこれを開放する蓋体開放ボタン２３が設けられている。後半部右上面には、キーボード１７からの入力結果等を表示するディスプレイ２４が形成されている。
【００１７】
開閉蓋２１の内部には、テープカートリッジＣが装着されるカートリッジ装着部３１が窪入形成されており、カートリッジ装着部３１には、テープカートリッジＣから繰り出される処理テープＴに印刷処理を行う印刷ヘッド４１が配設されている。
【００１８】
装置ケース１２の左側部には、カートリッジ装着部３１と装置外部とを連通するテープ排出口３２が形成され、このテープ排出口３２に臨んで装置ケース１２には、処理テープＴを切断するためのカッタユニット３３が内蔵されている。また、図１および図２では省略したが、装置ケース１２の内部には、装置本体１１を統括制御する制御部６０（図３参照）を構成する回路基板が搭載されている。
【００１９】
カートリッジ装着部３１には、ヘッドカバー４０に覆われたサーマル方式の印刷ヘッド４１と、後述するテープリール５１の位置決めをする位置決め突起４２と、テープカートリッジＣの処理テープＴおよびインクリボンＲを送り、印刷ヘッド４１に対峙するプラテン駆動軸４３およびインクリボンＲを巻き取る巻取り駆動軸４４とが突設されている。また、カートリッジ装着部３１には、カートリッジケース５０の裏面に形成された複数の被検出孔に対応してテープ識別センサ２６（図３参照）が設けられている。また、カートリッジ装着部３１には、プラテン駆動軸４３および巻取り駆動軸４４を駆動する印刷送りモータ４６（図３参照）や減速ギヤ列等（図示省略）が内蔵されている。
【００２０】
テープカートリッジＣは、カートリッジケース５０の内部に、処理テープＴを巻回したテープリール５１と、右下部にインクリボンＲを巻回したリボン繰出しリール５２およびリボン巻取りリール５３とを収容して構成されている。また、処理テープＴとインクリボンＲとが重なる部分に対応し、上記プラテン駆動軸４３に嵌合して回転駆動するプラテンローラ５５が配置されている。
【００２１】
テープカートリッジＣをカートリッジ装着部３１に装着すると、位置決め突起４２にテープリール５１が、巻取り駆動軸４４にリボン巻取りリール５３が、プラテン駆動軸４３にプラテンローラ５５が、それぞれ差し込まれ、この状態で開閉蓋２１を閉蓋すると、これに連動して、印刷ヘッド４１が、処理テープＴおよびインクリボンＲを挟み込んでプラテンローラ５５に当接し、印刷待機状態となる。入力編集により印刷データが生成されると、生成された印刷データに基づき、プラテン駆動軸４３および巻取り駆動軸４４が同期回転して、処理テープＴおよびインクリボンＲを送りながら、印刷ヘッド４１により印刷処理が行われる。これと共に、リボン繰出しリール５２から繰り出されたインクリボンＲは、リボン巻取りリール５３に巻き取られる。印刷処理後の処理テープＴは、印刷済み部分がカッタユニット３３により切断され、切断された処理テープＴがラベルとしてテープ排出口３２から外部に排出される。
【００２２】
処理テープＴは、テープ種別（テープ幅、テープ色、インクリボン色、テープ材質など）が異なる複数種のものが用意されており、裏面に粘着剤層が塗着された記録テープＴ１と、この粘着剤層により記録テープＴ１に貼付された剥離テープＴ２とから構成されている。カートリッジケース５０の裏面には、小さな複数の被検出孔（図示省略）が形成され、上記のテープ識別センサによってこの複数の被検出孔が検出されることにより、処理テープＴの種別を識別できるようになっている。
【００２３】
次に、図３を参照し、テープ印刷装置１の制御系について説明する。テープ印刷装置１は、操作部６１と、検出部６２と、印刷部（印刷手段）６３と、切断部６４と、駆動部６５と、これら各部に接続して、テープ印刷装置１全体を制御する制御部６０と、を有している。
【００２４】
操作部６１は、キーボード１７上の文字入力キー１３、機能キー１５等からのデータ入力など、ユーザインタフェースとして機能する。検出部６２は、テープ識別センサ２６を有し、処理テープＴ（テープカートリッジＣ）の種別を検出する。印刷部６３は、テープカートリッジＣ、印刷ヘッド４１および印刷送りモータ４６を有し、生成された印刷データに基づいて印刷ヘッド４１により処理テープＴに印刷処理を行う。切断部６４は、処理テープＴを切断するフルカッタ３４及びこれを駆動するフルカッタモータ３５からなるカッタユニット３３を有し、印刷部６３で印刷処理済みの処理テープＴを所定長さとなるように切断し、ラベルを作成する。駆動部６５は、ディスプレイドライバ６６、ヘッドドライバ６７、印刷送りモータドライバ６８およびカッタモータドライバ６９を有し、各部を駆動する。
【００２５】
制御部６０は、ＣＰＵ（Central Processing Unit）７１と、ＣＰＵ７１で各種制御処理を行うための制御プログラムを有するＲＯＭ（Read Only Memory）７２、各種制御処理の作業領域となるＲＡＭ（Random Access Memory）７３と、テープ印刷装置１の各部と入力データや制御信号の入出力を行う入出力制御装置（以下、「ＩＯＣ：Input Output Controller」と称する）７４を備え、これらは互いに内部バス７５により接続されている。そして、ＣＰＵ７１は、ＲＯＭ７２内の各種制御プログラムに従って、ＩＯＣ７４を介してテープ印刷装置１内の各部から各種信号・データを入力する。また、入力された各種信号・データに基づいてＲＡＭ７３内の各種データを処理し、ＩＯＣ７４を介してテープ印刷装置１内の各部に各種信号・データを出力することにより、入力編集処理（印刷データ生成処理）や印刷切断処理の制御を行う。
【００２６】
ここで、図４の機能ブロック図を参照して、テープ印刷装置１の制御系をさらに説明する。テープ印刷装置１は、装置状態記憶手段（処理内容記憶手段）８１と、貸出し処理手段８２と、返却処理設定手段（処理内容削除設定手段）８３と、返却処理手段８４と、印刷データ生成手段８５と、印刷手段６３と、を備えている。なお、請求項にいう切替え制御手段は、貸出し処理手段８２および返却処理手段８４にて構成されている。
【００２７】
装置状態記憶手段８１は、テープ印刷装置１の装置状態を記憶するものである。現在の装置状態に加え、貸出し時点の装置状態が記憶される。この装置状態の項目として、テキストデータ、ファイルデータ、人名データ、印刷履歴データ、特殊フォームデータ、漢字変換機能の学習機能における漢字変換学習データ、予測変換機能の学習機能における予測変換学習データ、ユーザ辞書データ、地紋データ、外字データ、メニュー選択値、印刷設定値、環境設定値がある。なお、請求項にいう処理内容は、これらの項目の記憶処理および設定変更処理であり、これら処理の結果が装置状態となる。また、処理要素は、項目別の処理動作である。
【００２８】
貸出し処理手段８２は、貸出しを行う際（厳密には貸出しキー１５ｆが押された時）、貸出し処理を行うものである。貸出しキー１５ｆが押されると、貸出し処理として、装置状態記憶手段８１にテープ印刷装置１におけるその時点の装置状態を記憶する。すなわち、貸出し時点の装置状態が記憶される。その後、テープ印刷装置１は、貸出しモードに移行する。
【００２９】
返却処理設定手段８３は、返却処理手段８４における返却処理を設定するものである。ユーザは、各種設定キー１５ａを押して、図５（ａ）のような選択画面を表示し、この選択画面により、「本体初期化」「貸出し時に戻す」「更新データ選択」「更新問い合わせ」の中から１の処理を選択して、返却処理を設定する（上下キー１５ｂで選び確定キー１５ｃで確定）。また、「更新データ選択」が選択されると複数の項目（装置状態の項目に対応したもの）を表示した表示画面（図５（ｂ）参照）が表示される。ユーザは、各項目についてチェック、未チェックの選択を行い、更新データを決定する。詳細は後述するが、返却処理時には、この更新データに設定された項目（チェックした項目）はそのままに、更新データと設定されていない項目（未チェックの項目）は、貸出し時の状態に戻す。
【００３０】
返却処理手段８４は、返却時に（厳密には、返却キー１５ｇが押された際に）返却処理を行うものである。返却キー１５ｇが押されると、返却処理設定手段８３の設定に基づいて返却処理が行われる。
【００３１】
印刷データ生成手段８５は、各種設定に基づいて、印刷データを生成するものである。印刷手段６３は、印刷データ生成手段８５により生成された印刷データに基づいて、処理テープＴに印刷を行うものである。
【００３２】
次に、テープ印刷装置１の貸出し処理動作および返却処理動作について説明する。なお、テープ印刷装置１は、返却処理設定手段８３により、返却処理設定がなされているものとする。
【００３３】
テープ印刷装置１を貸出す際には、貸出しキー１５ｆを押す。貸出しキー１５ｆが押されると、貸出し処理手段８２により装置状態（各項目の状態）が装置状態記憶手段８１に記憶される。これにより、テープ印刷装置１が貸出しモードとなる。なお、貸出し時に、返却モード（返却中）における処理内容が削除されることはない。例えば、返却中（返却モード時）に、印刷設定を変更した場合、この変更した印刷設定を引き継いだ状態で貸し出される。
【００３４】
テープ印刷装置１を返却する際には、返却キー１５ｇを押す。返却キー１５ｇが押されると、返却処理手段８４により、返却処理設定手段８３に設定された返却処理を行う。上記したように返却処理の設定として、「本体初期化」「貸出し時に戻す」「更新データ選択」「更新問い合わせ」がある。
【００３５】
「本体初期化」と設定されている場合、返却処理として、テープ印刷装置を初期化する。これにより、各種データや各種設定が出荷時の状態に戻る。
【００３６】
「貸出し時に戻す」と設定されている場合、返却処理として、現在の装置状態（各種記憶データおよび各種設定）を削除して、装置状態記憶手段により記憶された貸出し時の装置状態に差し替える。例えば、貸出し時にテキストデータとして「ＡＢＣ」と入力されている場合、テープ印刷装置１を借りたユーザがテキストデータを編集して「ＤＥＦ」としても、当該返却処理により、返却時に「ＡＢＣ」というテキストデータに戻る。別の言い方をすると、貸出しモードにおける処理内容を削除して貸出し時の装置状態に戻す。
【００３７】
このように、テープ印刷装置１の返却時に、貸出し中の（貸出しモードにおける）処理内容を削除することにより、テープ印刷装置１の装置状態を、貸出し時点の状態に容易に戻すことができる。そのため、常に同一の環境状態で貸出を行うことができ、個人情報等の管理や個人別の操作性が損なわれることがない。
【００３８】
「更新データ選択」と設定されている場合、返却処理として、上記表示画面で設定した更新データはそのままに、それ以外の項目は貸出し時の装置状態に戻す（差し替える）。すなわち、「更新データ選択」の返却処理では、環境設定により、ユーザ自身で、貸出し時の装置状態に戻す項目を設定することができる。
【００３９】
「更新問い合わせ」が設定されている場合、返却処理として、まず、装置状態手段に記憶された貸出し時の装置状態と、現在の装置状態とから変更された項目を選出する。この後、選出された項目について、図６のような選択画面を順番に表示して（ユーザが選択したら次の選択画面を表示）、ユーザに当該項目を貸出し時の装置状態に戻すか否かの選択を促す。すなわち、「更新問い合わせ」の返却処理では、上記選択画面により、ユーザ自身で、貸出し時の装置状態に戻す項目を選択することができる。
【００４０】
このように、装置状態を貸出し時点の状態に戻すか否か、を設定可能であるため、装置状態（処理内容）が個人間の引き継ぎ事項等である場合、これを残しておくことができ、取扱いの自由度を高めることができる。また、複数の項目（処理要素）それぞれについて、貸出し時点の状態に戻すか否かを設定可能であるため、取扱いの自由度を更に高めることができる。
【００４１】
以上のような構成により、テープ印刷装置１の返却時に、貸出し中の（貸出しモードにおける）処理内容を削除して、テープ印刷装置１の状態を、貸出し時点の状態に容易に戻すことができる。そのため、常に同一の環境状態で貸出を行うことができ、個人情報等の管理や個人別の操作性が損なわれることがない。
【図面の簡単な説明】
【００４２】
【図１】本発明の実施形態に係るテープ印刷装置の閉蓋状態における外観斜視図である。
【図２】本実施形態に係るテープ印刷装置の開蓋状態における外観斜視図である。
【図３】テープ印刷装置の制御ブロック図である。
【図４】テープ印刷装置の機能ブロック図である。
【図５】返却処理の設定するための表示画面である。
【図６】変更項目を更新するか否かを選択するための選択画面である。
【符号の説明】
【００４３】
１：テープ印刷装置、  １５ｆ：貸出しキー、  １５ｇ：返却キー、  ８１：装置状態記憶手段、  ８２：貸出し処理手段、  ８３：返却処理設定手段、  ８４：返却処理手段
【図１】
2008302602.tif 000003
【図２】
2008302602.tif 000004
【図３】
2008302602.tif 000005
【図４】
2008302602.tif 000006
【図５】
2008302602.tif 000007
【図６】
2008302602.tif 000008